(57)【要約】【目的】振動用モータの配置態様を工夫してカメラボディの小型化を可能とするとともに、振動用モータの振動が使用者により確実に伝わるようにしたカメラの内部構造を提供する。【構成】カメラボディの内部に、電池収納室と、コンデンサと、該カメラボディに振動を与える振動用モータとを設けたカメラにおいて、上記電池収納室とコンデンサを、軸線方向が平行な円柱形状として隣接させて配置し、電池収納室とコンデンサの外周円筒面の双方に接する平面と、電池収納室外周円筒面の一部と、コンデンサ外周円筒面の一部とにより囲まれた領域内に、振動用モータの少なくとも一部を配設し、かつ、振動用モータをコンデンサと電池収納室の何れかに接触させて、上記振動用モータの振動を上記カメラボディに伝達するようにしたカメラの内部構造。【選択図】　　　図１
2004045804.tif 000002
【特許請求の範囲】
【請求項１】
カメラボディの内部に、電池収納室と、コンデンサと、該カメラボディに振動を与える振動用モータとを設けたカメラにおいて、
上記電池収納室とコンデンサを、軸線方向が平行な円柱形状として隣接させて配置し、
上記電池収納室とコンデンサの外周円筒面の双方に接する平面と、上記電池収納室外周円筒面の一部と、コンデンサ外周円筒面の一部とにより囲まれた領域内に、上記振動用モータの少なくとも一部を配設し、
かつ、上記振動用モータを上記コンデンサと上記電池収納室の何れかに接触させて、上記振動用モータの振動を上記カメラボディに伝達するようにしたことを特徴とするカメラの内部構造。
【請求項２】
カメラボディの内部に、電池収納室と、コンデンサと、該カメラボディに振動を与える振動用モータとを設けたカメラにおいて、
上記電池収納室とコンデンサを、軸線方向が平行な円柱形状として隣接し、軸方向の高さが異なり、この高さの違いにより上部又は下部にできる領域に上記振動用モータを配設し、
かつ、上記振動用モータを上記コンデンサと上記電池収納室の何れかに接触させて、上記振動用モータの振動を上記カメラボディに伝達するようにしたことを特徴とするカメラの内部構造。
【請求項３】
請求項１記載のカメラの内部構造において、上記コンデンサがカメラボディに接触しているカメラの内部構造。
【請求項４】
請求項１または２記載のカメラの内部構造において、上記コンデンサがカメラボディに形成されたグリップ部を構成する壁面の内面に接触しているカメラの内部構造。
【発明の詳細な説明】
【０００１】
【技術分野】
本発明は、カメラの内部構造に関する。
【０００２】
【従来技術およびその問題点】
使用者がカメラを誤操作しようとしているときに、警告を発して、使用者に誤操作発生の危険を知らせるようにすることは、従来より行われており、その一例としては、カメラボディ内に振動用モータを設けて、誤操作のおそれがあるときにカメラボディを振動させるものがある。
【０００３】
しかしながら、従来の振動用モータの配置態様にはまだ改良の余地があり、配置態様を工夫することにより、カメラボディをよりコンパクトにすることが可能である。
さらに、振動用モータの振動が、使用者に、より確実に伝わるような工夫もなされていなかったので、この点についても改良の余地がある。
【０００４】
【発明の目的】
本発明は、振動用モータの配置態様を工夫してカメラボディの小型化を可能とするとともに、振動用モータの振動が使用者により確実に伝わるようにしたカメラの内部構造を提供することを目的とする。
【０００５】
【発明の概要】
本発明のカメラの内部構造は、カメラボディの内部に、電池収納室と、コンデンサと、該カメラボディに振動を与える振動用モータとを設けたカメラにおいて、上記電池収納室とコンデンサを、軸線方向が平行な円柱形状として隣接させて配置し、上記電池収納室とコンデンサの外周円筒面の双方に接する平面と、上記電池収納室外周円筒面の一部と、コンデンサ外周円筒面の一部とにより囲まれた領域内に、上記振動用モータの少なくとも一部を配設し、かつ、上記振動用モータを上記コンデンサと上記電池収納室の何れかに接触させて、上記振動用モータの振動を上記カメラボディに伝達するようにしたことを特徴としている。
【０００６】
また、本発明のカメラの内部構造は、カメラボディの内部に、電池収納室と、コンデンサと、該カメラボディに振動を与える振動用モータとを設けたカメラにおいて、上記電池収納室とコンデンサを、軸線方向が平行な円柱形状として隣接し、軸方向の高さが異なり、この高さの違いにより上部又は下部にできる領域に上記振動用モータを配設し、かつ、上記振動用モータを上記コンデンサと上記電池収納室の何れかに接触させて、上記振動用モータの振動を上記カメラボディに伝達するようにしたことを特徴としている。
【０００７】
上記コンデンサは、カメラボディに接触し、あるいはカメラボディに形成されたグリップ部を構成する壁面の内面に接触しているのが好ましい。
【０００８】
【発明の実施の形態】
以下、本発明の第１の実施形態について図１乃至図４を参照しながら説明する。
図示するカメラ１は、カメラボディ１１の前面に、ストロボ３、ファインダー窓５、ＡＦ窓７、レンズ鏡筒９が設けられており、カメラボディ１１の正面から見て左端部は、使用者が手で把持するためのグリップ部１１ａとなっている。カメラボディ１１内部の中心部よりやや左側には、上下方向を向くパトローネ室１３が設けられており、グリップ部１１ａの内部には、メインコンデンサ（コンデンサ）１５と電池収納室１７が、互いに近接した状態で前後方向に並べられている。メインコンデンサ１５は、グリップ部１１ａの内面に接触している。
【０００９】
電池収納室１７とメインコンデンサ１５はともに、上下方向を向く略円柱形状をなしており、両者に接触する垂直面Ｖ（図４参照）（平面）と、メインコンデンサ１５及び電池収納室１７とで囲まれた空間は、略三角柱状のデッドスペース（領域）Ｄ１となっている。
カメラボディ１１の左側部の内面には保持部材１９が固着されており、この保持部材１９に上下方向を向く小径の振動用モータＭが固着されている。この振動用モータＭのボディＭ１は、上記デッドスペースＤ１内に位置している。また、ボディＭ１はメインコンデンサ１５に接触しており、その出力軸には、ボディＭ１に対して偏心した錘２１が固着されている。この錘２１は、図１及び図２に示すように、電池収納室１７及びメインコンデンサ１５より下方に突出しており、これらの部材１５、１７と接触することなく回転できる。
【００１０】
この振動用モータＭは図示を省略したＣＰＵに電気的に接続されており、使用者がカメラ１を誤操作しようとすると、ＣＰＵがこれを検出して振動用モータＭに作動信号を発し、出力軸（錘２１）が回転して、振動用モータＭのボディＭ１が振動する。このように振動用モータＭが振動すると、この振動は、メインコンデンサ１５と保持部材１９を介してカメラボディ１１のグリップ部１１ａに伝達される。
【００１１】
このように、振動用モータＭを、メインコンデンサ１５と電池収納室１７との間に形成されたデッドスペースＤ１に配設することにより、振動用モータＭを配設するためのスペースを新たに確保する必要がなくなるので、従来に比べてカメラボディ１１を小型化することができる。
そのうえ、振動用モータＭをメインコンデンサ１５に接触させているので、振動用モータＭの振動は、メインコンデンサ１５を介して、使用者が把持するグリップ部１１ａに伝達される。従って、使用者は、カメラの誤操作発生の危険を確実に認識することができる。
【００１２】
次に、本発明の第２の実施形態について、図５乃至図８を参照しながら説明する。なお、第１の実施形態と同じ部材には同じ符号を付すに止めて、その詳細な説明は省略する。
本実施形態においても、メインコンデンサ１５と電池収納室１７は、ともにグリップ部１１ａの内部に配設されている。グリップ部１１ａの内面の上部には、ほぼ水平のストロボ基板２３が固着されており、このストロボ基板２３の下面にメインコンデンサ１５の上面が固着されている。図示するように、電池収納室１７の上面とメインコンデンサ１５の上面との間には段差があり、ストロボ基板２３とメインコンデンサ１５と電池収納室１７の上面とで囲まれた空間は、デッドスペース（領域）Ｄ２となっている。
このデッドスペースＤ２には、カメラボディ１１に固着された保持部材（図示略）によって支持された振動用モータＭが配置されており、そのボディＭ１はメインコンデンサ１５に接触している。
【００１３】
このような態様で、振動用モータＭをデッドスペースＤ２に配設した場合も、第１の実施形態と同様、振動用モータＭを配設するためのスペースを新たに確保する必要がなくなるので、従来に比べてカメラボディ１１を小型化することができる。
さらに、振動用モータＭの振動は、メインコンデンサ１５（および保持部材）を介して、使用者が把持するグリップ部１１ａに伝達されるので、使用者は、カメラの誤操作発生の危険を確実に認識することができる。振動用モータＭは電池収納室１７に接しても、また、カメラボディに接触しなくても効果が得られる。
【００１４】
【発明の効果】
本発明によれば、カメラボディを小型化できるとともに、振動用モータの振動を使用者により確実に伝えることができる。
【図面の簡単な説明】
【図１】本発明の第１の実施形態の一部を破断した正面図である。
【図２】同実施形態の縦断側面図である。
【図３】同実施形態の横断平面図である。
【図４】同実施形態の振動用モータを省略した横断平面図である。
【図５】本発明の第２の実施形態の一部を破断した正面図である。
【図６】同実施形態の縦断側面図である。
【図７】同実施形態の振動用モータを省略した縦断側面図である。
【図８】同実施形態の横断平面図である。
【符号の説明】
１　　　カメラ
３　　　ストロボ
５　　　ファインダー窓
７　　　ＡＦ窓
９　　　レンズ鏡筒
１１　　カメラボディ
１１ａ　グリップ部
１３　　パトローネ室
１５　　メインコンデンサ（コンデンサ）
１７　　電池収納室
１９　　保持部材
２１　　錘
２３　　ストロボ基板
Ｄ１　　デッドスペース（領域）
Ｄ２　　デッドスペース（領域）
Ｍ　　　振動用モータ
Ｍ１　　ボディ
Ｖ　　　垂直面（平面）
【図１】
2004045804.tif 000003
【図２】
2004045804.tif 000004
【図３】
2004045804.tif 000005
【図４】
2004045804.tif 000006
【図５】
2004045804.tif 000007
【図６】
2004045804.tif 000008
【図７】
2004045804.tif 000009
【図８】
2004045804.tif 000010